(57)【要約】【課題】  従来に無い薄型の時計バンド用のプッシュバックルを提供することにある。【解決手段】  時計バンド用プッシュバックル１０は、上箱２０と中板３０と下板４０とを備える。上箱２０は、小穴を備えた１２時側の時計バンドを取り付ける取付部を成す。中板３０は、一端側を上箱２０に、他端側を下板４０にそれぞれ回動自在に連結して、上箱２０と下板４０を重なるように三折りさせるものである。下板は４０は、６時側の時計バンドを取り付ける取付部４１を有するとともに、中板３０に設けられた係止突起３１を挿入し係止する中留孔４３を備えたプッシュボックス４２を有するものである。【選択図】  図１
0003163404.tif 000002
【実用新案登録請求の範囲】
【請求項１】
上箱と中板と下板とを備えた時計バンド用プッシュバックルであって、
上箱は、小穴を備えた１２時側の時計バンドを取り付ける取付部を成し、
中板は、一端側を上箱に、他端側を下板にそれぞれ回動自在に連結して、上箱と下板を重なるように三折りさせ、
下板は、６時側の時計バンドを取り付ける取付部を有するとともに、中板に設けられた係止突起を挿入し係止する中留孔を備えたプッシュボックスを有することを特徴とする時計バンド用プッシュバックル。
【請求項２】
上箱は、美錠と小穴に差し込む小穴用突起とを備えて１２時側の時計バンドを取り付けることを特徴とする請求項１記載の時計バンド用プッシュバックル。
【請求項３】
上箱は、美錠と小穴に差し込むツク棒とを備えて１２時側の時計バンドを取り付けることを特徴とする請求項１記載の時計バンド用プッシュバックル。
【請求項４】
上箱は、小穴に小穴用突起又はツク棒の差し込まれた１２時側の時計バンドの剣先を下板側へ挿通する挿通部を美錠に備えることを特徴とする請求項２又は３記載の時計バンド用プッシュバックル。
【請求項５】
時計バンドが皮革製であることを特徴とする請求項１から４のいずれかに記載の時計バンド用プッシュバックル。
【請求項６】
請求項１から５のいずれかに記載の時計バンド用プッシュバックルを備えたことを特徴とする時計バンド。
【請求項７】
請求項６記載の時計バンドを備えたことを特徴とする腕時計。
【考案の詳細な説明】
【技術分野】
【０００１】
本願考案は、上箱と中板と下板とを備えた時計バンド用プッシュバックルに関するものである。
【背景技術】
【０００２】
上箱と中板と下板とを備えた時計バンド用プッシュバックル、特に皮革製時計バンド用プッシュバックルに関する先行技術文献としては、特許文献１および特許文献２がある。
【０００３】
特許文献１は、図５（Ａ）に示すように、上箱の側壁に切欠部を設け、該切欠部にばね張りしたプッシュ部を臨ませ、該上箱に二つ折れ中留を連結し、該中留の下板を幾分そり曲げる強化構造にして手首廻りになじみよく当たる薄型にて形成し、該下板の中間上に前記プッシュ部の開閉止孔に掛脱する掛止用ボッチのほか、皮バンド，ウレタンバンドの一端を裏側に挿し通しする通し孔と該バンドの並列止孔を選択して刺し止めするボッチとからなるバンド長を調整するアジャスト機構を設けたことを特徴とする皮バンド，ウレタンバンド用のプッシュ式中留が開示されている。
【０００４】
特許文献２は、図５（Ｂ）に示すように、挿通枠に他方のバンド部材の端部を挿通して、挿通枠を、中板部材、下板部材に対して折り畳んだ状態で、挿通枠の調整ピンが、バンド部材の長さ調整穴を介して、プッシュボタンケース本体に形成された回転防止手段に係合するとともに、下板部材に形成された係止ピンが、プッシュボタンケース本体に形成された係止部材に係合することによって、一方のバンド部材の端部と、他方のバンド部材の端部とを相互に連結するように構成されている中留構造が開示されている。
【先行技術文献】
【特許文献】
【０００５】
【特許文献１】実用新案登録第３０６１１９１号公報
【特許文献２】特開２００６−１１５９９２号公報
【考案の概要】
【考案が解決しようとする課題】
【０００６】
しかしながら、特許文献１に開示されたプッシュ式中留および特許文献２に開示された中留構造は、いずれも上箱部分にプッシュ機構を備えているために、どうしても中留構造が厚手にならざるを得なかった。
【０００７】
そこで、本願考案者は、上記したような従来の上箱と中板と下板とを備えた時計バンド用プッシュバックルの課題を解決して、従来に無い薄型の時計バンド用のプッシュバックルを提供すべく研究及び開発を行い、本願考案を完成するに至った。
【課題を解決するための手段】
【０００８】
上記目的を達成するために、第１の考案は、上箱と中板と下板とを備えた時計バンド用プッシュバックルであって、上箱は、小穴を備えた１２時側の時計バンドを取り付ける取付部を成し、中板は、一端側を上箱に、他端側を下板にそれぞれ回動自在に連結して、上箱と下板を重なるように三折りさせ、下板は、６時側の時計バンドを取り付ける取付部を有するとともに、中板に設けられた係止突起を挿入し係止する中留孔を備えたプッシュボックスを有することを特徴とするものである。
第２の考案は、上箱が、美錠と小穴に差し込む小穴用突起とを備えて１２時側の時計バンドを取り付けることを特徴とする同時計バンド用プッシュバックルである。
第３の考案は、上箱が、美錠と小穴に差し込むツク棒とを備えて１２時側の時計バンドを取り付けることを特徴とする同時計バンド用プッシュバックルである。
第４の考案は、上箱が、小穴に小穴用突起又はツク棒の差し込まれた１２時側の時計バンドの剣先を下板側へ挿通する挿通部を美錠に備えることを特徴とする同時計バンド用プッシュバックルである。
第５の考案は、時計バンドが皮革製であることを特徴とする同時計バンド用プッシュバックルである。
第６の考案は、第１から第５の考案に係る時計バンド用プッシュバックルを備えたことを特徴とする時計バンドである。
第７の考案は、第６の考案に係る時計バンドを備えたことを特徴とする腕時計である。
【考案の効果】
【０００９】
本願考案によれば、以下のような効果を有する。
（１）係止突起を挿入し係止する中留孔を備えたプッシュボックス（プッシュ式中留本体）が上箱ではなく、下板にあるので、中留構造を薄型にできる。
（２）また、上箱にプッシュボックスを設けなくてよいので、上箱の自由度が高くなり、デザイン性が向上する。
（３）既製の時計バンドを取り付けて使用することができる。
（４）一度皮革製バンドを中留にセットすれば、皮革製バンド自体は動かないためバンドが傷みづらく、長持ちする。
【図面の簡単な説明】
【００１０】
【図１】本願考案の時計バンド用プッシュバックルを示す説明図（１）。
【図２】本願考案の時計バンド用プッシュバックルを示す説明図（２）。
【図３】本願考案の時計バンド用プッシュバックルを示す説明図（３）。
【図４】本願考案の時計バンド用プッシュバックルを示す説明図（４）。
【図５】従来技術（特許文献１及び特許文献２）を示す説明図。
【考案を実施するための形態】
【００１１】
本願考案に係る実施形態を図面に基づいて説明する。
図１は、本願考案の時計バンド用プッシュバックルを示す説明図（１）であり、全体を示す斜視図（左図：上方斜視図、右図：下方斜視図）である。
図１に図示するように、時計バンド用プッシュバックル１０は、上箱２０と中板３０と下板４０とを備える。上箱２０は、小穴を備えた１２時側の時計バンドを取り付ける取付部を成す。取付部（上箱２０）は、美錠２１と小穴に差し込む小穴用突起２３とを備えるとともに、小穴用突起２３の差し込まれた１２時側の時計バンドの剣先を下板側へ挿通する挿通部２４を備えている。
【００１２】
また、中板３０は、一端側を上箱２０に、他端側を下板４０にそれぞれ回動自在に連結して、上箱２０と下板４０を重なるように三折りさせるものである。下板は４０は、６時側の時計バンドを取り付ける取付部４１を有するとともに、中板３０に設けられた係止突起３１を挿入し係止する中留孔４３を備えたプッシュボックス４２を有するものである。通常の時計バンド用プッシュバックルのように上箱にプッシュボックスを設けていないので、時計バンド用プッシュバックル１０を薄型にできる。また、上箱２０の自由度が高くなり、上箱２０引いては時計バンド用プッシュバックル１０のデザイン性が向上する。
【００１３】
図２は、本願考案の時計バンド用プッシュバックルを示す説明図（２）であり、上箱をを除く中板と下板の構造を示す側面図（Ａ）と底面図（Ｂ）である。
図２（Ａ）では、中板３０と下板４０の作動状態を側面から示している。左図は、中板３０の係止突起３１が、下板４０のプッシュボックス４２の中留孔４３から開放されている状態である。右図は、中板３０の係止突起３１が、下板４０のプッシュボックス４２の中留孔４３に挿入され係止している状態である。
図２（Ｂ）では、中板３０と下板４０の係止状態（図２（Ａ）右図の状態）を底面から示している。
【００１４】
図３は、本願考案の時計バンド用プッシュバックルを示す説明図（３）であり、上箱の構造を示す説明図である。
図３に示すように、中板３０に回動自在に連結する上箱２０として、上箱２０ａ，上箱２０ｂ，上箱２０ｃのようなものが考えられるが、これに限定されるものではない。このように上箱２０にプッシュボックスを必要としないので時計バンド用プッシュバックル１０を薄型にできる。また、上箱２０の自由度が高くなり、上箱２０引いては時計バンド用プッシュバックル１０のデザイン性が向上する。
【００１５】
ここで、上箱２０ａは、美錠２１と小穴に差し込むツク棒２２とを備えて１２時側の時計バンド（図示省略）を取り付けるものである。上箱２０ａを備えた時計バンド用プッシュバックル１０を図４（Ａ）に図示する。
【００１６】
次に、上箱２０ｂは、美錠２１と小穴に差し込む小穴用突起２３とを備えて１２時側の時計バンド（図示省略）を取り付けるものである。上箱２０ｂを備えた時計バンド用プッシュバックル１０を図４（Ｂ）に図示する。
【００１７】
また、上箱２０ｃは、上記上箱２０ａの発展形であるが、美錠２１と小穴に差し込むツク棒２２とを備えるとともに、小穴にツク棒２２の差し込まれた１２時側の時計バンドの剣先（図示省略）を下板４０側へ挿通する挿通部２４を美錠２１に備えるものである。この挿通部２４を備えることで、１２時側時計バンドの剣先の外れを防止できる（図１も同じ）。上箱２０ｃを備えた時計バンド用プッシュバックル１０を図４（Ｃ）に図示する。
【産業上の利用可能性】
【００１８】
本願考案は、時計バンドのプッシュバックルとして広く利用できるものである。特に、皮革製時計バンドに利用できるが、これに限らず樹脂製時計バンド等にも利用できるものである。
【符号の説明】
【００１９】
１０  時計バンド用プッシュバックル
２０  上箱（２０ａ，２０ｂ，２０ｃ）
２１  美錠
２２  ツク棒
２３  小穴用突起
２４  挿通部
３０  中板
３１  係止突起
４０  下板
４１  取付部
４２  プッシュボックス
４３  中留孔
【図１】
0003163404.tif 000003
【図２】
0003163404.tif 000004
【図３】
0003163404.tif 000005
【図４】
0003163404.tif 000006
【図５】
0003163404.tif 000007